(57)【要約】      （修正有）【課題】ケーブルの支持作業の容易化及び迅速化、並びに低コスト化。【解決手段】不動部材２と、不動部材に対して対向及び非対向する方向に、不動部材に回転可能に軸支された可動部材３Ａ，３Ｂと、可動部材の回転中心軸と平行な軸を有するケーブル挿通孔４Ａ，４Ｂと、不動部材と可動部材とを貫通する貫通孔５とを備え、不動部材は、可動部材との対向面２２に、ケーブル挿通孔の半周部を構成する複数の不動部材側凹部４０Ａ，４０Ｂが並列状に形成され、可動部材は、不動部材との対向面３２に、ケーブル挿通孔の半周部を構成する可動部材側凹部４０Ｃが形成され、貫通孔は、ケーブル挿通孔の軸と交差する軸を有し、且つ不動部材と可動部材とをケーブル挿通孔から外れた位置で貫通するように形成されている。【選択図】図１
2014128128.tif 000002
【特許請求の範囲】
【請求項１】
不動部材と、
前記不動部材に対して対向及び非対向する方向に、該不動部材に回転可能に軸支された可動部材と、
前記可動部材の回転中心軸と平行な軸を有するケーブル挿通孔と、
前記不動部材と前記可動部材とを貫通する貫通孔とを備え、
前記不動部材は、前記可動部材との対向面に、前記ケーブル挿通孔の半周部を構成する複数の不動部材側凹部が並列状に形成され、
前記可動部材は、前記不動部材との対向面に、前記ケーブル挿通孔の半周部を構成する可動部材側凹部が形成され、
前記貫通孔は、前記ケーブル挿通孔の軸と交差する軸を有し、且つ前記不動部材と前記可動部材とを前記ケーブル挿通孔から外れた位置で貫通するように形成されていることを特徴とするケーブル支持具。
【請求項２】
前記可動部材を二個一対とし、一対の前記可動部材が前記不動部材に対して観音開き状に回転するように軸支され、前記貫通孔が一対の前記可動部材の境を貫通するように形成されていることを特徴とする請求項１記載のケーブル支持具。
【請求項３】
前記可動部材側凹部が複数形成されていることを特徴とする請求項１又は２記載のケーブル支持具。
【発明の詳細な説明】
【技術分野】
【０００１】
本発明は、通信用ケーブルや各種ケーブルをその配線道中において支持するケーブル支持具に関する。
【背景技術】
【０００２】
通信用ケーブルや各種ケーブルをその配線道中において支持するケーブル支持具は、ケーブルを径方向で挟持するクランプ構造のものが知られている。
【０００３】
下記、特許文献１に記載のケーブル支持具は、一対のクランプ腕が互いに接近・離間する方向に回転可能に軸支され、この一対のクランプ腕同士を接近させることで、ケーブルを支持する状態をロックするロック体が備えられており、この一対のクランプ腕同士を接近させることによって、ロック体がケーブルを支持する状態を自動的にロックするようになっている。
【０００４】
特許文献１の従来技術によると、鉄塔等の高所におけるボルトナットによる一対のクランプ腕同士の締め付け作業が不要であるので、作業の安全性や迅速性を良好なものとすることができる。
【０００５】
しかしながら、特許文献１の従来技術は、複数本のケーブルを支持する場合には、ケーブルの本数分のケーブル支持具を鉄塔等に取付ける作業が必要であるため、このケーブル支持具の取付け作業に相当の時間が掛かるという問題があった。
【０００６】
このような問題を解決するため、下記、特許文献２に記載されているように、相互に対をなすケーブル支持部材を備え、このケーブル支持部材の対向面に、適数個の半円状凹部を対向並設し、この半円状凹部を外れた両側部位において、半円状凹部の中心線と交差する方向にスタッドボルトを取付けるケーブル支持具が提案されている。
【０００７】
特許文献２の従来技術によると、ケーブルを挟んでケーブル支持部材を対向させるとともに、このケーブル支持部材に取付けられたスタッドボルト同士を螺合することによって、複数のケーブルを支持できるケーブル支持具を構成することができる。また、ケーブル支持部材を三個以上連結することによって、複数のケーブルを支持できるケーブル支持具を複数連設することができる。
【先行技術文献】
【特許文献】
【０００８】
【特許文献１】特開平６−３８３４２号公報
【特許文献２】実用新案登録第３０２６４２６号公報
【発明の概要】
【発明が解決しようとする課題】
【０００９】
特許文献２の従来技術によると、複数のケーブルを支持できる構成のケーブル支持具であるので、ケーブル支持具の鉄塔等に対する取付け工程を削減でき、これによって、ケーブル支持具の取付けの時間短縮を実現できる。
【００１０】
この特許文献２の従来技術は、一対のケーブル支持部材を連結するために、ケーブル支持部材を対向させながら、夫々に取付けたスタッドボルトを螺合する作業が必要であり、しかも、この作業が複数のケーブル支持具を連設する分だけ必要であった。
【００１１】
また、一つのケーブル支持具を構成するのに、複数のケーブル支持部材及び複数のスタッドボルトという多くの構成部材が必要であった。
【００１２】
本発明は、このような問題に対処することを課題の一例とするものである。すなわち、ケーブル支持具の取付け工程を削減できること、ケーブル支持具の取付け作業時間を更に短縮できること、複数のケーブルの挿通作業時間を更に短縮できること、これにより、ケーブルの支持作業の容易化及び迅速化、並びに低コスト化が達成できること、等が本発明の目的である。
【課題を解決するための手段】
【００１３】
このような目的を達成するために、本発明によるケーブル支持具は、以下の構成を少なくとも具備するものである。
【００１４】
不動部材と、前記不動部材に対して対向及び非対向する方向に、該不動部材に回転可能に軸支された可動部材と、前記可動部材の回転中心軸と平行な軸を有するケーブル挿通孔と、前記不動部材と前記可動部材とを貫通する貫通孔とを備え、前記不動部材は、前記可動部材との対向面に、前記ケーブル挿通孔の半周部を構成する複数の不動部材側凹部が並列状に形成され、前記可動部材は、前記不動部材との対向面に、前記ケーブル挿通孔の半周部を構成する可動部材側凹部が形成され、前記貫通孔は、前記ケーブル挿通孔の軸と交差する軸を有し、且つ前記不動部材と前記可動部材とを前記ケーブル挿通孔から外れた位置で貫通するように形成されていることを特徴とするケーブル支持具である。
【発明の効果】
【００１５】
このような特徴を有することで本発明は、以下の効果を奏する。すなわち、ケーブル支持具の取付け工程を削減できるとともに、ケーブル支持具の取付け作業時間を更に短縮でき、且つ複数のケーブルの挿通作業時間を更に短縮ができる。これにより、ケーブルの支持作業の容易化及び迅速化、並びに低コスト化が達成できる。
【図面の簡単な説明】
【００１６】
【図１】本発明に係るケーブル支持具の一実施形態を示す平面図である。
【図２】図１の正面図である。
【図３】ケーブル支持具を取付け対象部に取付けた状態を示す側面図である。
【図４】図３の平面図である。
【図５】（ａ）（ｂ）は、ケーブル支持具の取付け工程の一例を示す工程図である。
【図６】（ｃ）（ｄ）は、図５から連続するケーブル支持具の取付け工程の一例を示す工程図である。
【図７】（ｅ）は、図６から連続するケーブル支持具の取付け工程の一例を示す工程図である。
【図８】取付け部材の他の例を示す側面図である。
【発明を実施するための形態】
【００１７】
本発明に係るケーブル支持具は、前記可動部材を二個一対とし、一対の前記可動部材が前記不動部材に対して観音開き状に回転するように軸支され、前記貫通孔が一対の前記可動部材の境を貫通するように形成されていることが好ましい。
【００１８】
また、前記可動部材側凹部が複数形成されていてもよい。
【００１９】
以下で説明するケーブルは、電話局や無線局等の各種通信施設の基地局と受信装置とにわたり敷設される給電線等の各種ケーブルである。
【００２０】
以下、本発明の実施形態に係るケーブル支持具１の一例を図１〜図４に基づいて説明する。以下で説明する実施形態は、本発明を限定するものではない。
【００２１】
ケーブル支持具１は、ケーブル支持具１の一方を構成する不動部材２と、他方を構成する二個の可動部材３Ａ，３Ｂと、ケーブルＡが挿通する二個のケーブル挿通孔４Ａ，４Ｂと、取付け対象部Ｂ（図３、４参照）にケーブル支持具１を取付けるための取付け部材Ｃ（図３、４参照）の全ねじボルトＣ１が貫通する径、且つ全ねじボルトＣ１に螺合してケーブル支持具１を締め付け固定するナットＣ２〜Ｃ４よりも小径とする貫通孔５とを備えている。
【００２２】
本明細書において説明する取付け対象部とは、受信装置が設置される高所や鉄塔に設けられたラダーや鉄塔を構成する鉄骨等である。
【００２３】
不動部材２と可動部材３Ａ，３Ｂとは、ケーブル挿通孔４Ａ，４Ｂの軸と平行な支軸６を有する蝶番部６０によって連結されており、この蝶番部６０によって、可動部材３Ａ，３Ｂが支軸６を回転中心軸として、不動部材２と対向する方向と非対向する方向とに回転するようにされている。
【００２４】
蝶番部６０は、ケーブル挿通孔４Ａ，４Ｂの軸と平行の不動部材２の両外縁部（図面上、不動部材２の短手側の外縁部）２０，２１と、外縁部２０，２１と対向する可動部材３Ａ，３Ｂの外縁部３０、３１とにわたって設けられている。
【００２５】
不動部材２は、ＡＥＳ樹脂に代表される耐遮光性合成樹脂を用いて成型されており、可動部材３Ａ，３Ｂが対向する対向面２２にケーブル挿通孔４Ａ，４Ｂの一方を構成する二個の不動部材側凹部４０Ａ，４０Ｂが並列状に設けられている。
【００２６】
不動部材側凹部４０Ａ，４０Ｂは、ケーブルＡの半周の形状に相当する半円溝状に形成されており、不動部材側凹部４０Ａ，４０Ｂの軸を平行として並列状に設けられている。
【００２７】
可動部材３Ａ，３Ｂは、不動部材２と同素材を用いて成型されており、対向面２２と対向する二個の可動部材３Ａ，３Ｂの夫々の対向面３２に、ケーブル挿通孔４Ａ，４Ｂの他方を構成する可動部材側凹部４０Ｃが設けられている。
【００２８】
この二個の可動部材３Ａ，３Ｂは、不動部材２と対向した状態において、対向面２２側の互いの側部３３Ａ，３３Ｂ同士が正対し、この側部３３Ａ，３３Ｂが不動部材側凹部４０Ａ，４０Ｂの間の中央部で接触する、或いはわずかな隙間が生じるように軸支され、不動部材２に対する非対向状態において互いの側部３３Ａ，３３Ｂが、図面上、正反対方向に向くように観音開き状に回転するように軸支されている。
【００２９】
可動部材側凹部４０Ｃは、ケーブルＡの半周の形状に相当する半円溝状に形成されており、不動部材側凹部４０Ａ，４０Ｂの軸と平行な軸を有し、可動部材３Ａ，３Ｂが不動部材２と対向した状態において、不動部材側凹部４０Ａ，４０Ｂと可動部材側凹部４０ＣとでケーブルＡが挿通する円筒状のケーブル挿通孔４Ａ，４Ｂを形成できるように設けられている。
【００３０】
対向面２２の不動部材側凹部２０Ａ，２０Ｂの間と、この対向面２２と対向する対向面３２とにわたり、不動部材２に対する可動部材３Ａ，３Ｂの対向状態を保持する係合部Ｄが設けられている。
【００３１】
係合部Ｄは、ケーブルＡを不動部材側凹部４０Ａ，４０Ｂに嵌合し、可動部材３Ａ，３Ｂを回転させて不動部材２と対向させたときに、係合部Ｄが係合することによって、挿通作業中におけるケーブルＡの曲り等の動作による可動部材３Ａ，３Ｂの非対向方向への回転を抑止することができるようになっている。
【００３２】
係合部Ｄは、不動部材２に設けられた凸部Ｄ１と、可動部材３に設けられた凹部Ｄ２とからなる凹凸係合構造のものであり、可動部材３を不動部材２に対向させたときに係合し、この係合状態を凹凸係合による摩擦抵抗で保持し、この摩擦抵抗に抗して可動部材３を非対向側に回転させることで係合を解除するようにされている。
【００３３】
貫通孔５は、不動部材側凹部４０Ａ，４０Ｂの間の中央部を貫通するように形成された不動部材側貫通孔５０と、この不動部材側貫通孔５０と同軸となるように可動部材３Ａ，３Ｂを貫通するように形成された可動側貫通孔５１とから構成されている。
【００３４】
可動側貫通孔５１は、可動部材３の側部３３Ａ，３３Ｂを夫々半円状に切欠き形成した貫通凹部５１Ａ、５１Ｂが、可動部材３Ａ，３Ｂを不動部材２に対向させた状態において正対することによって貫通孔状となるように形成されている。
【００３５】
このような貫通孔５は、可動部材３Ａ，３Ｂを不動部材２に対向させた状態において、不動側貫通孔５０と可動側貫通孔５１とが同軸で直列することで、不動部材２と可動部材３Ａ，３Ｂを貫通するようになっている。
【００３６】
取付け部材Ｃは、貫通孔５に挿入されるとともに、取付け対象部Ｂに開孔されたボルト孔Ｂ１を貫通するように挿入される全ねじボルトＣ１と、ケーブル支持具１を挟むとともに、取付け対象部Ｂを挟むように全ねじボルトＣ１に螺合する三個のナットＣ２〜Ｃ４という周知の部材を用いて構成されている。
【００３７】
このような取付け部材Ｃを用いたケーブル支持具１の取付け対象部Ｂへの取付け工程を、図５（ａ）〜図７（ｅ）に基づいて説明する。ケーブル支持具１の取付け個数はケーブルＡの本数に対応して、一個の取付け部材Ｃで、一個乃至複数個（図示では三個）取付けることができる。ケーブル支持具１の取付け対象部Ｂへの取付け工程は、以下で説明する取付け工程に限るものではない。
【００３８】
第一工程として、図５（ａ）に示すように、全ねじボルトＣ１に、三個のケーブル支持具１、ナットＣ２〜Ｃ４を組み込んでおく。このようにすることによって、各種部材を一つにすることができるので、運搬中において部材を落下させてしまうことを防止できるとともに、各種部材の過不足を防止することができる。
【００３９】
この第一工程では、あらかじめ、可動部材３Ａ，３Ｂを不動部材２に対して非対向位置に配置させておくことで、取付け部材Ｃの取付け対象部Ｂへの固定後に、可動部材３Ａ，３Ｂの非対向状態への回転動作をすることなく、ケーブルＡの挿通作業を行うことができる。
【００４０】
また、全ねじボルトＣ１の長さは、ケーブル支持具１の個数に対応する長さとしてもよいし、将来的にケーブル支持具１の個数が増えたときのことを考慮した長さとしてもよい。
【００４１】
第二工程として、図５（ｂ）に示すように、ナットＣ２を外して全ねじボルトＣ１をボルト孔Ｂ１に挿入し、再びナットＣ２を螺合するとともに、このナットＣ２とで取付け対象部Ｂを挟むようにナットＣ３を螺合締め付けして、全ねじボルトＣ１を取付け対象部Ｂに取付ける。
【００４２】
第三工程として、図６（ｃ）に示すように、不動部材側凹部４０ＡにケーブルＡを嵌合し、この不動部材側凹部４０Ａに対応する可動部材３Ａを対向方向へ回転させて可動部材側凹部４０ＣをケーブルＡに嵌合するとともに、不動部材側凹部４０ＢにケーブルＡを嵌合し、この不動部材側凹部４０Ｂに対応する可動部材３Ｂを対向方向へ回転させて可動部材側凹部４０ＣをケーブルＡに嵌合することで、２本のケーブルＡがケーブル支持具１の二か所のケーブル挿通孔４Ａ，４Ｂに挿通支持された状態となる（図６（ｄ）参照）。
【００４３】
第四工程として、図６（ｄ）に示すように、図５（ｃ）と同様の方法でケーブルＡを挿通させ、これを最後のケーブル支持具１にケーブルＡを挿通するまで行う。
【００４４】
この第三工程及び第四工程では、ケーブルＡの挿通作業における可動部材３Ａ，３Ｂの回転スペースを確保できる程度に、各ケーブル支持具１をスライドさせて離間させておく。
【００４５】
第五工程として、図７（ｅ）に示すように、ナットＣ３とナットＣ４とでケーブル支持具１を挟むように、ナットＣ４を螺合締め付けすることによって、ケーブル支持具１を取付け対象部Ｂに取付けることができるとともに、可動部材３Ａ，３Ｂの対向状態を保持することができる。
【００４６】
このとき、可動部材３Ａ，３Ｂが観音開き状に軸支されているため、一個のナットＣ４で可動部材３Ａ，３Ｂの双方を螺合締め付けることによって、不動部材２に対する対向状態を保持できる。したがって、ナットＣ４の一回の締め付け動作によって、二個の可動部材３Ａ，３Ｂの不動部材２に対する対向状態を保持することができる。
【００４７】
他の形態の取付け部材Ｃ’として、図８に示すように、全ねじボルトＣ１を螺合取付けするクランプ部材Ｃ５を備えた形態が例示でき、このクランプ部材Ｃ５を取付け対象部Ｂにクランプすることによって、全ねじボルトＣ１を取付け対象部Ｂに取付けることができ、しかも、全ねじボルトＣ１の取付け位置の調整も容易に行うことができる。
【００４８】
クランプ部材Ｃ５は、例示するように、取付け対象部Ｂに引っ掛けるように掛合する凹状部材Ｃ５０と、凹状部材Ｃ５０の一側壁に貫通して螺合するボルトＣ５１とから構成され、螺合されるボルトＣ５１の先端が取付け対象部Ｂに圧接することによって、クランプする周知構造のものを用いることができる。全ねじボルトＣ１は、凹状部材Ｃ５０の他側壁に貫通螺合し、ナットＣ２とナットＣ３とで螺合締め付けすることによって、クランプ部材Ｃ５に固定することができる。
【００４９】
以上の構成のケーブル支持具１によると、周知の全ねじボルトＣ１及びナットＣ２〜Ｃ４からなる取付け部材Ｃ、周知のクランプ構造のクランプ部材Ｃ５に全ねじボルトＣ１をナットＣ２〜Ｃ４で締め付け固定した取付け部材Ｃ’によって、取付け対象部Ｂに取付けることができる。
【００５０】
また、ケーブル支持具１は、二個のケーブル挿入孔４Ａ，４Ｂを備えており、夫々が独立してケーブルＡを保持することができるため、一個のケーブル支持具によって、二本（複数本）のケーブルＡを保持することができる。
【００５１】
また、このケーブル支持具１は、一本の全ねじボルトＣ１に複数個貫通支持することができるとともに、複数個のケーブル支持具１を一本の全ねじボルトＣ１に支持した状態で、ナットＣ４を螺合締め付けすることによって、全てのケーブル支持具１を取付け対象部Ｂに取付けることができる。しかも、ナットＣ４の螺合締め付けによって、全てのケーブル支持具１によるケーブルＡの挿入状態を保持することができる。
【００５２】
また、ケーブル支持具１を全ねじボルトＣ１を回転中心として回転させることで、ケーブル挿通孔４Ａ、４Ｂの軸方向を鉛直方向及びこの鉛直方向と交差する方向とにわたって任意に調整することができるため、ケーブルＡの敷設方向にかかわらず、このケーブルＡを支持することができる。
【００５３】
したがって、複数本のケーブルＡを支持するのに、ケーブル支持具１の取付け個数を削減することができ、これによって、ケーブル支持具１の取付け時間の短縮及び取付け工程の削減ができるとともに、ケーブル支持具１を構成する構成部材を削減できる。これにより、ケーブルＡの支持作業の容易化及び迅速化、並びに低コスト化が達成できる。
【００５４】
尚、本発明は、例示した実施の形態に限定するものではなく、特許請求の範囲の各項に記載された内容から逸脱しない範囲の構成による実施が可能である。
【００５５】
ケーブル支持具１は、二個の不動部材側凹部４０Ａ，４０Ｂを備えた不動部材２と、夫々一個の可動部材側凹部４０Ｃを備えた一対の可動部材３Ａ，３Ｂとを備えた形態を例示しているが、不動部材側凹部４０Ａ，４０Ｂを三個以上とし、可動部材３Ａ，３Ｂを不動部材側凹部４０Ａ，４０Ｂの個数と同数とするものとしてもよい（図示せず）。この場合、取付け部材Ｃの個数は、可動部材３Ａ，３Ｂが三個以上、且つ奇数個の場合、その内の一対の可動部材３Ａ，３Ｂに一個、更に、独立した一個の可動部材３Ａ（又は可動部材３Ｂ）に一個となる。また、可動部材３Ａ，３Ｂが四個以上、且つ偶数個の場合、一対の可動部材３Ａ，３Ｂごとに一個となる。
【００５６】
一対の可動部材３Ａ，３Ｂは、例示した観音開き状に回転するように軸支するものに限らない（図示せず）。
【００５７】
また、ケーブル支持具１は、可動部材３Ａ（又は可動部材３Ｂ）に不動部材側凹部４０Ａ，４０Ｂと同数の可動部材側凹部４０Ｃを設け、可動部材３Ａ（又は可動部材３Ｂ）の一端側を不動部材２の一端側に、可動部材３Ａ（又は可動部材３Ｂ）が不動部材２に対して対向及び非対向となるように回転可能に軸支した形態としてもよい（図示せず）。この場合、取付け部材Ｃの全ねじボルトＣ１が貫通する貫通孔５の位置は、可動部材３Ａ（又は可動部材３Ｂ）の軸支側とは反対側の端部側等、挿通孔４に干渉しない位置にあればよい。
【００５８】
また、三個以上の不動部材側凹部４０Ａ，４０Ｂを備えた不動部材２と、複数の可動部材３Ａ，３Ｂと備えたケーブル支持具１の場合、可動部材３Ａ，３Ｂの両方又はいずれか一方の可動部材側凹部４０Ｃを複数個としてもよい（図示せず）。
【符号の説明】
【００５９】
１：ケーブル支持具
２：不動部材
２２：対向面
３Ａ：可動部材
３Ｂ：可動部材
３２：対向面
４Ａ：ケーブル挿通孔
４Ｂ：ケーブル挿通孔
４０Ａ：不動部材側凹部
４０Ｂ：不動部材側凹部
４０Ｃ：可動部材側凹部
５：貫通孔
６：支軸
Ａ：ケーブル
【図１】
2014128128.tif 000003
【図２】
2014128128.tif 000004
【図３】
2014128128.tif 000005
【図４】
2014128128.tif 000006
【図５】
2014128128.tif 000007
【図６】
2014128128.tif 000008
【図７】
2014128128.tif 000009
【図８】
2014128128.tif 000010
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
不動部材と、
前記不動部材に対して対向及び非対向する方向に、該不動部材に回転可能に軸支された可動部材と、
前記可動部材の回転中心軸と平行な軸を有するケーブル挿通孔と、
前記不動部材と前記可動部材とを貫通する貫通孔とを備え、
前記不動部材は、前記可動部材との対向面に、前記ケーブル挿通孔の半周部を構成する複数の不動部材側凹部が並列状に形成され、
前記可動部材は、前記不動部材との対向面に、前記ケーブル挿通孔の半周部を構成する可動部材側凹部が形成され、
前記貫通孔は、前記ケーブル挿通孔の軸と交差する軸を有し、且つ前記不動部材と前記可動部材とを前記ケーブル挿通孔から外れた位置で貫通するように形成され、
取付け対象部に対して取付け部材を介して複数取付け可能とするケーブル支持具であり、
複数の前記ケーブル支持具の取付け時に、前記不動部材における前記可動部材との前記対向面と反対側の面が、前記可動部材における前記不動部材との前記対向面と反対側の面に接触すると共に、複数の前記ケーブル支持具の前記貫通孔が同軸となるようにされていることを特徴とするケーブル支持具。
【請求項２】
前記可動部材を二個一対とし、一対の前記可動部材が前記不動部材に対して観音開き状に回転するように軸支され、前記貫通孔が一対の前記可動部材の境を貫通するように形成されていることを特徴とする請求項１記載のケーブル支持具。
【請求項３】
前記可動部材側凹部が複数形成されていることを特徴とする請求項１又は２記載のケーブル支持具。
【手続補正２】
【補正対象書類名】明細書
【補正対象項目名】００１４
【補正方法】変更
【補正の内容】
【００１４】
不動部材と、前記不動部材に対して対向及び非対向する方向に、該不動部材に回転可能に軸支された可動部材と、前記可動部材の回転中心軸と平行な軸を有するケーブル挿通孔と、前記不動部材と前記可動部材とを貫通する貫通孔とを備え、前記不動部材は、前記可動部材との対向面に、前記ケーブル挿通孔の半周部を構成する複数の不動部材側凹部が並列状に形成され、前記可動部材は、前記不動部材との対向面に、前記ケーブル挿通孔の半周部を構成する可動部材側凹部が形成され、前記貫通孔は、前記ケーブル挿通孔の軸と交差する軸を有し、且つ前記不動部材と前記可動部材とを前記ケーブル挿通孔から外れた位置で貫通するように形成され、取付け対象部に対して取付け部材を介して複数取付け可能とするケーブル支持具であり、複数の前記ケーブル支持具の取付け時に、前記不動部材における前記可動部材との前記対向面と反対側の面が、前記可動部材における前記不動部材との前記対向面と反対側の面に接触すると共に、複数の前記ケーブル支持具の前記貫通孔が同軸となるようにされていることを特徴とするケーブル支持具である。